(57)【要約】【課題】暗闇でも適切に飲口から飲料を飲むことが可能である。【解決手段】有底筒状の飲料容器の開口縁部に嵌合する嵌合部１１と、前記飲料容器の開口に対向する位置に設けられた天井部１２と、前記嵌合部１１の頂上部１１ａから下方側へ延在する余長部１９と、前記天井部１２の中心から周縁側へ偏在した所定の位置に形成された飲口部１４と、前記天井部１２の中心から前記飲口部１４を通る線分Ｈを、嵌合部１１から前記余長部１９方向へ折り曲げた場合に、該線分Ｈが通る余長部１９に形成された切欠部２１とを具備する。【選択図】図５
2018065598.tif 000002
【特許請求の範囲】
【請求項１】
有底筒状の飲料容器の開口縁部に嵌合する嵌合部と、
前記飲料容器の開口に対向する位置に設けられた天井部と、
前記嵌合部の頂上部から下方側へ延在する余長部と、
前記天井部の中心から周縁側へ偏在した所定の位置に形成された飲口部と、
前記天井部の中心から前記飲口部を通る線分を、嵌合部から前記余長部方向へ折り曲げた場合に、該線分が通る余長部に形成された切欠部と
を具備することを特徴とする飲料容器の蓋。
【請求項２】
前記切欠部の形状は、半円形状、半楕円形状、三角形形状、略三角形形状のいずれかであることを特徴とする請求項１に記載の飲料容器の蓋。
【請求項３】
前記嵌合部と前記天井部とを繋ぐ周壁部と、
前記周壁部の前記天井部側における周縁の所定の位置において、飲口となる穴の縁部が接するように形成された飲口部と
を具備することを特徴とする請求項１または２に記載の飲料容器の蓋。
【請求項４】
前記周壁部は、前記嵌合部から前記天井部側へ向かって傾斜したスロープを構成し、
前記スロープ面の上下方向に延びる一本の直線が、前記飲口部の前記穴の縁を通過することを特徴とする請求項３に記載の飲料容器の蓋。
【請求項５】
前記飲口部の前記穴には、この穴を開閉する開閉蓋が設けられていることを特徴とする請求項３または４に記載の飲料容器の蓋。
【請求項６】
前記開閉蓋が開いた状態で嵌合する嵌合機構を有することを特徴とする請求項５に記載の飲料容器の蓋。
【発明の詳細な説明】
【技術分野】
【０００１】
この発明は、例えばディスポタイプのコップなど飲料容器に、取り付けられる、飲料容器の蓋に関するものである。
【背景技術】
【０００２】
従来の飲料容器の蓋１００は、図１に示されるように、飲料容器であるコップ２００の上部開口部に取り付けられるものである。上位の開口部と蓋１００の平面形状は、円形である。蓋１００は円錐台の形状であり、その側壁１１０は上部から下部へ広がるようなスロープを形成している。
【０００３】
図２に示されるように、上記側壁１１０の上端部１２０からは、適宜な寸法で凹んだ凹部の平面部１３０が形成されている。上端部１２０から凹部の平面部１３０における中央部へ向かって、ある程度の距離をおいて飲口部１４０が形成されている。
【０００４】
上記のような蓋１００の構成によると、図３のように、コップ２００を傾けて飲口部１４０から飲料を飲む。しかしながら、暗闇においてはコップ２００のいずれの縁部分に飲口部１４０が設けられているのか分からないという問題があった。従って、手で触れながら飲口部１４０を探すことになるが、飲口部１４０を見つけることができても、コップ２００のいずれの縁部分を手前側にすべきであるかを正確に把握できない。このため、飲料を零してしまうことがあった。また、側壁１１０と飲口部１４０の開口の間に、ある程度の距離があるために、この部分に飲料の飲み残り２５０が生じ、これが暗闇などで飲口部１４０を最も低い位置にすると、零れてしまう問題があった。
【０００５】
上記に対し、特許文献１には、暗闇や暗がりにおいてもその状態が目視により認知できる蓋、王冠蓋及び包装容器の王冠蓋用封緘具が開示されている。
【０００６】
具体的には、王冠蓋７は、例えば金属性部材から構成されており、側部に割爪１を有し、天板部２を押圧して凹ませることにより前記割爪１が開き、天板部２を元に凸戻すことにより割爪１が閉じ、缶口部（図示せず）を割爪１が掴持密閉するようにしてなる蓋本体３を備えるものである。この蓋本体３の天板部２の表面には、蓄光性蛍光体４をベースにした蓄光インキ５によりマーク６が印刷されており、蓄光性蛍光体４が暗闇や暗がりにおいて明るさのもとで蓄光した光を発光して明るく光るようになっている、という構成を備えている。
【０００７】
蓋本体は、蓄光性蛍光体が煉り込まれるなどして混入された合成樹脂性部材により形成されており、前記蓄光性蛍光体が暗闇において目視できるように発光するものである。この包装容器の蓋は、包装容器の口部に固着される柔軟性合成樹脂製部材からなる注ぎ口部本体、この注ぎ口本体の内側に該注ぎ口本体と一体的に成形された該注ぎ口本体を密封する密封膜、前記注ぎ口本体の開口部を塞ぐための該注ぎ口本体に直線的に着脱自在に嵌合する蓋部分とから構成されている。
【０００８】
特許文献２には、安価でかさばらず、しかも保冷効果の高い取手付きの飲料用缶若しくは飲料用容器用の保冷具が開示されている。具体的には、この保冷具１は、飲料用缶若しくは飲料用容器を収容する収容部２を有した断熱カバー本体３と、当該断熱カバー本体３の外側において当該断熱カバー本体３を保持する取手付きのフレーム４を有するものである。そして、上記断熱カバー本体３には、前記飲料用缶若しくは飲料容器の飲み口部に対応した切り欠き７が設けられているものである。
【０００９】
また、前記断熱カバー本体３若しくはフレーム４には、少なくとも前記飲料用缶の上部外周と弾力的に密着し外気の進入を制限するシールド部が設けられることか開示されている。そして、断熱カバー本体若しくはフレームには、少なくとも前記飲料用缶の上部外周と弾力的に密着し外気の進入を制限するシールド部が設けられている。
【００１０】
特許文献３には、固体粉状物を水、湯、若しくはその他飲料の水性媒体で攪拌、溶解する際にこぼれることなく通常のコップと同等の機能を維持できる共に、簡単にコップ上縁の一部を切欠することにより、介護を必要とする高齢者若しくは身体障害者又は嚥下困難者が顎を上げることなく液状物を容易に飲むことができる紙製コップが開示されている。
【００１１】
具体的には、コップの口部周縁の所定区間に、その上端からコップ壁へ、窪み形状、例えば略Ｖ字状、略Ｕ字状、略凵字状、又は略半円状の切欠線を施すように構成したものである。係る構成によって、飲む直前にかかる窪み形状の切欠線によって切欠した部分に鼻を入れて液状物を飲むことによって、顎を上げなくとも紙製コップ内の液状物を全て飲み干すことができるようになっている。
【先行技術文献】
【特許文献】
【００１２】
【特許文献１】特開平１１−１３０１２４号公報
【特許文献２】特開２０１−６４７６７号公報
【特許文献３】特開２００５−２１２８８７号公報
【発明の概要】
【発明が解決しようとする課題】
【００１３】
しかしながら、特許文献１に記載の蓋は、蓋をしたままで飲むことができるようにするものではなく、構成上飲み口が蓋に設けられているタイプに適用しても、蓄光性蛍光体の成分が溶解し難いものを選択しなければならず、通常は採用しないものである。特許文献２に記載のものは、飲み口部分が切り欠かれており、把手との関係で暗闇でも適切に飲むことができそうである。しかしながら、器に飲料の缶を収納するときに適切な位置に収納しなければならず、コンビニなどで提供されるコーヒーのコップ型容器のようなディスポタイプのものには適用できない。更に、特許文献３のものは、顎を上げることなく液状物を容易に飲むことができる点において暗闇でも飲料を零す危険性を防ぐことはできるものの、暗闇で切欠部を口に向ける手段がないという難がある。
【００１４】
本発明は、飲料容器の蓋における現状に鑑みてなされたもので、その目的は、暗闇でも適切に飲口から飲料を飲むことが可能である飲料容器の蓋を提供することである。また、飲み残しを防ぐことができ、このため、飲み残した飲料が暗闇における容器の操作によって零れる危険を少なくすることができる飲料容器の蓋を提供することを目的とする。
【課題を解決するための手段】
【００１５】
本発明に係る飲料容器の蓋は、有底筒状の飲料容器の開口縁部に嵌合する嵌合部と、前記飲料容器の開口に対向する位置に設けられた天井部と、前記嵌合部の頂上部から下方側へ延在する余長部と、前記天井部の中心から周縁側へ偏在した所定の位置に形成された飲口部と、前記天井部の中心から前記飲口部を通る線分を、嵌合部から前記余長部方向へ折り曲げた場合に、該線分が通る余長部に形成された切欠部とを具備することを特徴とする。
【００１６】
本発明に係る飲料容器の蓋では、前記切欠部の形状は、半円形状、半楕円形状、三角形形状、略三角形形状のいずれかであることを特徴とする。
【００１７】
本発明に係る飲料容器の蓋では、前記周壁部は、前記嵌合部から前記天井部側へ向かって傾斜したスロープを構成し、前記スロープ面の上下方向に延びる一本の直線が、前記飲口部の前記穴の縁を通過することを特徴とする。
【００１８】
本発明に係る飲料容器の蓋では、前記飲口部の前記穴には、この穴を開閉する開閉蓋が設けられていることを特徴とする。
【００１９】
本発明に係る飲料容器の蓋では、前記開閉蓋が開いた状態で嵌合する嵌合機構を有することを特徴とする。
【発明の効果】
【００２０】
本発明によれば、暗闇でも適切に飲口から飲料を飲むことが可能である。また、本発明によれば、飲み残した飲料が暗闇においける容器の操作によって零れる危険を少なくすることができる。
【図面の簡単な説明】
【００２１】
【図１】従来例に係る飲料容器を示す図であり、（ａ）は蓋の縦断面図、（ｂ）は縦断面図。
【図２】従来例に係る飲料容器を示す図であり、（ａ）は平面図、（ｂ）は縦断面図。
【図３】従来例に係る飲料容器を、飲料を飲むために傾けた状態示す図であり、（ａ）は平面図、（ｂ）は縦断面図。
【図４】本発明に係る飲料容器の蓋の第１の実施形態を示す図であり、（ａ）は平面図、（ｂ）は縦断面図。
【図５】本発明に係る飲料容器の蓋の第１の実施形態を示す図であり、（ａ）は平面図、（ｂ）は縦断面図、（ｃ）は一部切欠正面図。
【図６】本発明に係る飲料容器の蓋の実施形態の使用状態を示す図であり、（ａ）は平面図、（ｂ）は縦断面図。
【図７】本発明に係る飲料容器の蓋の第２の実施形態を示す図であり、（ａ）は平面図、（ｂ）は一部切欠正面図。
【発明を実施するための形態】
【００２２】
以下添付図面を参照して本発明に係る飲料容器の蓋の実施形態を説明する。各図において、同一の構成要素には同一の符号を付して重複する説明を省略する。第１の実施形態に係る飲料容器の蓋１０は、図４（ａ）、図４（ｂ）に示すように、飲料容器である有底筒状体のコップ４０に適用される。コップ４０は、円錐台形状の例えば紙コップとすることができる。コップ４０は開口しており、開口縁部４１において、端部が折り返されて巻回され肉厚に形成されている。
【００２３】
蓋１０は、上記コップ４０の開口縁部４１に嵌合する嵌合部１１を有する。この嵌合部１１は、有底筒状のコップ４０の開口縁部４１を内側と外側から挟み込む構成である。また、嵌合部１１は、有底筒状のコップ４０の開口縁部４１に取り外し可能に嵌合できる。
【００２４】
蓋１０は、円錐台状であり、上記コップ４０の開口に対向する位置に設けられた天井部１２を有する。蓋１０及び天井部１２は平面形状が円形であり、天井部１２の平面形状である円の中心は、蓋１０の平面形状である円の中心から偏心している。蓋１０は、嵌合部１１と上記天井部１２とを繋ぐ周壁部１３を備えている。天井部１２には、飲口部１４が形成されている。天井部１２は、飲口部１４から最遠方側へ向かって下がるように傾斜している。蓋１０の最上面１７と天井部１２の面がなす角度θは、図6（ｂ）に示すように、例えば３度〜１０度とすることができる。
【００２５】
飲口部１４は、周壁部１３の上記天井部１２側における周縁の所定の位置において、飲口となる穴の縁部が接するように上記天井部１２に形成されている。つまり、平面形状が円形である天井部１２を、上記円の中心を通り飲口部１４の中央へ延びる線分により、蓋１０及びコップ４０を断面図とすると、図４（ｂ）のようである。
【００２６】
具体的には、周壁部１３は、上記嵌合部１１から上記天井部１２側へ向かって傾斜したスロープを構成し、このスロープ面の上下方向に延びる一本の直線Ｌ１が、上記飲口部１４の穴１４ａの縁１４ｂを通過する。別言すると、図４（ｂ）において、飲口部１４に隣接する周壁部１３を含む線分Ｌ１は、飲口部１４の穴１４ａにおける最も外側の縁１４ｂに接する。スロープの途中に幾つかの円状に突条１８を形成することができる。突条１８は、蓋１０をコップ４０に嵌合しまたは取り外す際の滑り止めの機能を有することができる。
【００２７】
上記飲口部１４の穴１４ａには、この穴１４ａを開閉する開閉蓋１５が設けられている。この第１の実施形態では、上記飲口部１４の穴１４ａの平面形状が四角形である。このため、開閉蓋１５は、中空の四角錐台形状であり、飲口部１４の穴１４ａを開閉蓋１５により閉じた状態において開閉蓋１５の開口部が穴１４ａの位置にある。つまり、飲口部１４の穴１４ａを開閉蓋１５により閉じた状態では、穴１４ａが中空の四角錐台形状の開閉蓋１５により覆われた状態となる。
【００２８】
飲口部１４の穴１４ａにおける最も外側の縁１４ｂに対向する辺は、ヒンジ１４ｃであり、このヒンジ１４ｃを中心に開閉蓋１５が回動可能に構成されている。なお、開閉蓋１５の開口部においては、開閉蓋１５の端面から水平方向にフランジ１５ａが形成されており、このフランジ１５ａを含めた開閉蓋１５の面積が、飲口部１４の穴１４ａに対応している。
【００２９】
上記ヒンジ１４ｃを挟んで飲口部１４の穴１４ａと反対側の天井部には、有底孔１６が形成されている。有底孔１６は、開閉蓋１５の外形と同じ中空の四角錐台形状であり、有底孔１６に開閉蓋１５が嵌まり込む嵌合機構である。開閉蓋１５が飲口部１４の穴１４ａを閉じた状態から、開閉蓋１５を上記ヒンジ１４ｃを軸として回転すると、開閉蓋１５は有底孔１６の開口部側から有底孔１６内へ侵入し嵌合機構により嵌合可能となる。
【００３０】
上記のように、開閉蓋１５が有底孔１６内で嵌合された状態が、飲料を飲む状態である。従って、開閉蓋１５が飲口部１４の穴１４ａを閉じた状態では、開閉蓋１５は、蓋１０の最上面１７よりも上側へ突出した状態である。上記に対し、飲料を飲む状態では、開閉蓋１５を有底孔１６内に収納することができ、これにより、開閉蓋１５を、蓋１０の最上面１７よりも下側において保持された状態とすることができる。
【００３１】
図５（ｃ）に示すように、蓋１０には、上記嵌合部１１の頂上部１１ａから下方側へ延在する余長部１９がある。上記余長部１９の下縁部分には、概ね半楕円形状の切欠部２１が形成されている。図５（ａ）に示すように、飲口部１４は、蓋１０の平面中心Ｏから周縁側へ偏在した所定の位置に形成されている。上記蓋１０の平面中心Ｏから上記飲口部１４を通る線分をＨとする。
【００３２】
この線分Ｈを、嵌合部１１から上記余長部１９方向へ折り曲げた場合に、図５（ｃ）のように該線分Ｈが通る余長部１９に切欠部２１が形成されている。そのため、切欠部２１に例えば親指を位置付け、親指の爪を唇の中央に当てたときには、唇の真っ直ぐ前方に飲口部１４が存在する。
【００３３】
以上のように構成された蓋１０を、飲料が入ったコップ４０の開口部に嵌合することができる。当初においては、開閉蓋１５が飲口部１４の穴１４ａを閉じた状態となっており、通常の振動などによってはコップ内の飲料が漏れるなどすることは少ない。
【００３４】
飲料を飲む場合には、切欠部２１に例えば親指を位置付け、親指の爪が自分を向くようにすると、開閉蓋１５が親指の僅かに前方に位置する。この開閉蓋１５が飲口部１４の穴１４ａを閉じた状態から、開閉蓋１５を上記ヒンジ１４ｃを軸として回転し、開閉蓋１５を有底孔１６の開口部側から有底孔１６内へ押し込むと、嵌合機構により有底孔１６内に開閉蓋１５が嵌合される。
【００３５】
上記のように有底孔１６内に開閉蓋１５が嵌合された状態において、切欠部２１に例えば親指を位置付け、親指の爪を唇の中央に当てたときには、唇の真っ直ぐ前方に飲口部１４が存在する。そこで、飲口部１４を飲む人の口へ当て、飲料を飲むことができる。このように、切欠部２１を目標として上記のように蓋１０の状態を操作すると暗闇においても確実に、飲口部１４を飲む人の口へ当てることが可能である。上記のようにして飲料を飲み、飲料の残量が少なくなった状態では、図６（ｂ）に示されるようにコップ４０を傾けて飲料が飲口部１４の穴１４ａへ向かうようにする。
【００３６】
このとき、周壁部１３のスロープ面の上下方向に延びる一本の直線Ｌ１が、上記飲口部１４の穴１４ａの縁を通過するように構成されているため、上記飲口部１４の穴１４ａから周壁部１３の内壁面付近に飲料が残留することなく、飲料を無駄なく飲むことが可能である。このため、コップ４０内に飲み残りがなくなるため、飲口部１４０を最も低い位置にしても零れによって衣服が汚れるなどの不具合を防止することができる。
【００３７】
また、天井部１２が飲口部１４から最遠方側へ向かって下がるように傾斜しており、しかも、開閉蓋１５が蓋１０の最上面よりも下側において保持された状態となっている。このため、図４のようにコップ４０を傾けて飲料を飲むときに、上記の第１の実施形態の構成を採用していない場合に比べて、鼻が開閉蓋１５や天井部に当接し難く、飲料を飲み易い特徴を有している。
【００３８】
なお、以上の第１の実施形態においてコップ４０や蓋１０の形状や寸法は、一例に過ぎず、これに限定されない。更に、有底孔１６に開閉蓋１５が嵌まり込む嵌合機構は、開閉蓋１５の外面の一部が有底孔１６に嵌合すればよい。
【００３９】
次に、第２の実施形態に係る容器の蓋１０Ａの説明を行う。第２の実施形態では、図７に示すように、従来例として示した蓋１００と同じ位置に飲口部１４Ａが設けられている。飲口部１４Ａの位置以外の構成は第１の実施形態のものと同一である。本第２の実施形態の蓋１０Ａにも、嵌合部１１の頂上部１１ａから下方側へ延在する余長部１９がある。上記余長部１９の下縁部分には、概ね半楕円形状の切欠部２１が形成されている。図７（ａ）に示すように、飲口部１４Ａは、蓋１０Ａの平面中心Ｏから周縁側へ偏在した所定の位置に形成されている。上記蓋１０Ａの平面中心Ｏから上記飲口部１４を通る線分をＨとする。
【００４０】
この線分Ｈを、嵌合部１１から上記余長部１９方向へ折り曲げた場合に、図７（ｂ）に示すように、該線分Ｈが通る余長部１９に切欠部２１が形成されている。そのため、切欠部２１に例えば親指を位置付け、親指の爪を唇の中央に当てたときには、唇の真っ直ぐ前方に飲口部１４Ａが存在する。このように構成された第２の実施形態においても、第１の実施形態において説明したようにして、暗闇においても的確に飲口部１４Ａへ口をつけて飲料を飲むことができる。
【００４１】
上記の第１の実施形態及び第１の実施形態の切欠部２１の形状は、半円形状、半楕円形状、三角形形状、略三角形形状等のいずれかを採用することができる。
【符号の説明】
【００４２】
１０、１０Ａ  蓋
１１  嵌合部
１１ａ  頂上部
１２  天井部
１３  周壁部
１４、１４Ａ  飲口部
１４ａ  穴
１４ｂ  縁
１４ｃ  ヒンジ
１５  開閉蓋
１５ａ  フランジ
１６  有底孔
１７  最上面
１８  突条
１９  余長部
２１  切欠部
４０  コップ
４１  開口縁部
【図１】
2018065598.tif 000003
【図２】
2018065598.tif 000004
【図３】
2018065598.tif 000005
【図４】
2018065598.tif 000006
【図５】
2018065598.tif 000007
【図６】
2018065598.tif 000008
【図７】
2018065598.tif 000009